(57)【要約】  【課題】ギャップむらが視認しにくい液晶パネルを提供する。  【解決手段】液晶パネル１の画面部４を主視角方向Ａの逆方向Ｂに向けて光が洩れるようにする。液晶パネル１の画面部４を逆方向Ｂから見た際に光漏れが故意的に起きる。液晶パネル１のギャップむらの視認性が下がる。偏光板24,45として広視野角フィルムを用いて液晶パネル１の画面部４の視野角を広くしても、液晶パネル１のギャップむらが、液晶パネル１の逆方向Ｂから視認し難くなる。液晶パネル１のギャップむらの感度を落とすことができる。液晶パネル１の表示性能を向上でき、高い歩留まりで安価な液晶パネル１にできる。  【選択図】図１
2006276717.tif 000002
【特許請求の範囲】
【請求項１】
視角によりコントラスト比が異なり、このコントラスト比が最も大きくなる主視角方向と反対側の方向に向けて光が洩れる画像表示領域を備えたアレイ基板と、
このアレイ基板に対向して配設された対向基板と、
前記アレイ基板と対向基板との間に設けられた液晶層と
を具備したことを特徴とした液晶表示装置。
【請求項２】
アレイ基板の画像表示領域には、画素電極と、この画素電極を制御するスイッチング素子とを備えた複数の画素がマトリクス状に設けられ、
対向基板は、前記アレイ基板の各スイッチング素子のそれぞれに対向して設けられた遮光層を備え、
前記画素電極の主視角方向側の前記遮光層との重なり量は、前記画素電極の主視角方向の反対側の前記遮光層との重なり量より大きい
ことを特徴とした請求項１記載の液晶表示装置。
【請求項３】
画素電極の主視角方向側の遮光層との重なり量は、液晶層の厚さより小さい
ことを特徴とした請求項２記載の液晶表示装置。
【請求項４】
画素電極の主視角方向側の遮光層との重なり量は、前記画素電極と遮光層との間の距離より小さい
ことを特徴とした請求項２記載の液晶表示装置。
【請求項５】
アレイ基板の画像表示領域には、光を透過させる光透過層と、この光透過層上に設けられた画素電極と、この画素電極を制御し遮光性を有するスイッチング素子とを備えた複数の画素がマトリクス状に設けられ、
前記画素電極の主視角方向側の前記スイッチング素子との重なり量は、前記画素電極の主視角方向の反対側の前記スイッチング素子の重なり量より大きい
ことを特徴とした請求項１記載の液晶表示装置。
【請求項６】
画素電極の主視角方向側のスイッチング素子との重なり量は、液晶層の厚さより小さい
ことを特徴とした請求項２記載の液晶表示装置。
【発明の詳細な説明】
【技術分野】
【０００１】
本発明は、アレイ基板と対向基板との間に液晶層を設けた液晶表示装置に関する。
【背景技術】
【０００２】
従来、この種の液晶表示装置は、アレイ基板と対向基板との間に液晶が介在されており、これらアレイ基板と対向基板と周囲の液晶封入口を除いた部分が接着剤にて固定され、この液晶封入口が封止剤で封止されている。また、カラー表示用の液晶表示装置は、アレイ基板と対向基板のいずれか一方のガラス基板上に、Ｒ（Red:赤色）に着色された赤色層と、Ｇ（Green:緑色）に着色された緑色層と、Ｂ（Blue:青色）に着色された青色層とで構成されたカラーフィルタ層が形成されている。
【０００３】
例えば、単純マトリクス駆動方式のカラー型ドットマトリクス液晶表示装置においては、この液晶表示装置の横方向(Ｙ方向)に横方向電極が帯状にパターニングされた横方向基板と、この液晶表示装置の縦方向(Ｘ方向)に縦方向電極が帯状にパターニングされた縦方向基板とを、これら横方向電極と縦方向電極とが略直交するように対向させてから、これら横方向基板と縦方向基板との間に液晶組成物を挟持させて液晶層が構成されている。
【０００４】
そして、この種の液晶表示装置の表示方式としては、例えばＴＮ（Twisted Nematic）形、ＳＴ（Stock Time）形、ＧＨ（Guest Host）形あるいはＥＣＢ（Electrically Controlled Birefringence）形や強誘電性液晶などが用いられている。また、封止剤としては、例えば熱にて硬化する熱硬化型や紫外線の照射にて硬化する紫外線硬化型のアクリル形またはエポキシ形の接着剤などが用いられている。
【０００５】
さらに、カラー型アクティブマトリクス駆動液晶表示装置は、絶縁基板上に走査線および信号線が格子状に設けられ、これら走査線および信号線の交点に対応してアモルファスシリコン（ａ−Ｓｉ）を半導体層とした薄膜トランジスタ（ＴＦＴ）が設けられ、これら薄膜トランジスタに画素電極が電気的に接続されたアクティブマトリクス基板としてのアレイ基板を備えている。そして、このアレイ基板に対向して、対向電極が設けられた対向基板が配設されており、この対向基板の対向電極上にカラーフィルタ層が設けられている。また、これらアレイ基板と対向基板とのそれぞれは偏光板にて挟持されており、光シャッタとしてカラー画像が表示可能に構成されている。そして、これら偏光板としては、視野角を広くするために広視野角フィルムが用いられている。
【０００６】
ところが、液晶表示装置の視野角が広くなるに連れて、視野を振った方向からの視認性が向上してしまうので、液晶表示装置のむらなどの視認性も向上してしまい、歩留まりを低下させる要因となってしまう。特に、液晶表示装置の液晶層の厚みであるセルギャップ(Cell Gap)の均一性が損なわれた場合に確認されるギャップむらに関しては、広視野角フィルムを用いないと正面あるいは±１０゜以上視野角を振った場合にギャップむらが見えやすかった。これに対して、広視野角フィルムを用いた場合には、液晶表示装置のコントラスト比が最も高くなる主視角方向の反対側の方向である逆方向から見た場合の視認性が向上し、この視認性が向上することによってギャップむらが見えやすくなるので、不良率が上がってしまう。
【０００７】
そこで、この種の液晶表示装置としては、対向基板上にブラックマトリックスが遮光層として設けられており、このブラックマトリクスの位置をずらしてアレイ基板の画素電極と走査線あるいは信号線との間からの光漏れを遮光して視野角を広くさせた構成が知られている(例えば、特許文献１参照。)。
【特許文献１】特開平１１−３８４２６号公報
【発明の開示】
【発明が解決しようとする課題】
【０００８】
しかしながら、上述の光漏れを遮光させた液晶表示装置では、ブラックマトリクスの位置をずらしてアレイ基板の画素電極と走査線あるいは信号線との間からの光漏れを遮光して視野角を広くしているが、ブラックマトリクスの位置をずらすだけでは液晶表示装置のギャップむらの視認性を下げることができないから、このギャップむらを見え難くすることが容易ではないという問題を有している。
【０００９】
本発明は、このような点に鑑みなされたもので、むらが見え難い液晶表示装置を提供することを目的とする。
【課題を解決するための手段】
【００１０】
本発明は、視角によりコントラスト比が異なり、このコントラスト比が最も大きくなる主視角方向と反対側の方向に向けて光が洩れる画像表示領域を備えたアレイ基板と、このアレイ基板に対向して配設された対向基板と、前記アレイ基板と対向基板との間に設けられた液晶層とを具備したものである。
【００１１】
そして、アレイ基板の画像表示領域を、視角によりコントラスト比が異なりこのコントラスト比が最も大きくなる主視角方向と反対側の方向に向けて光が洩れるので、このアレイ基板の画像表示領域の視野角が広い場合であっても、アレイ基板と対向基板との間に設けた液晶層の厚みの均一性が損なわれた場合に確認されるむらが見え難くなる。
【発明の効果】
【００１２】
本発明によれば、アレイ基板の画像表示領域を、コントラスト比が最も大きくなる主視角方向の反対側の方向に向けて光が洩れるので、このアレイ基板の画像表示領域の視野角が広くても、液晶層の厚みの均一性が損なわれた場合に確認されるむらを見え難くできる。
【発明を実施するための最良の形態】
【００１３】
以下、本発明の液晶表示装置の第１の実施の形態の構成を図１および図２を参照して説明する。
【００１４】
図１および図２において、１は平面表示装置としての液晶パネルで、この液晶パネル１は、ＴＮ（Twisted Nematic）型であるとともにアクティブマトリクス型の液晶表示素子としての液晶表示装置である。そして、この液晶パネル１は、液晶セルであって、アクティブマトリクス基板としての略矩形平板状のアレイ基板２を備えている。このアレイ基板２は、略透明な矩形平板状の絶縁基板としての透光性基板であるガラス基板３を有している。
【００１５】
そして、このガラス基板３の一主面である表面上の中央部には、画像表示領域としての表示エリアである矩形状の画面部４が形成されている。この画面部４は、この画面部４を目視する際の視角によってコントラスト比が異なるとともに、このコントラスト比が最も大きくなる主視角方向Ａを有している。ここで、この主視角方向Ａは、ガラス基板３の縦方向に沿った下方向である。
【００１６】
また、この画面部４には、複数の画素５がマトリクス状に設けられて配置されている。これら複数の画素５は、ガラス基板３の縦方向に沿ってｎ個形成されており、このガラス基板３の横方向に沿ってｍ個形成されている。したがって、これら複数の画素５は、ガラス基板３上にｎ×ｍ個形成されている。さらに、これら画素５のそれぞれには、表示電極としての画素電極６、蓄積容量としての画素補助容量である補助容量７、および薄膜トランジスタ８がそれぞれ１つずつ配置されている。
【００１７】
そして、ガラス基板３の表面には、ゲート電極配線としての複数の走査線11が、このガラス基板３の幅方向に沿って配設されている。これら走査線11は、ガラス基板３の横方向に向けて等間隔に平行に離間されている。また、これら走査線11間のそれぞれには、電極配線としての画像信号配線である複数の信号線12が、ガラス基板３の縦方向に沿って配設されている。これら信号線12は、ガラス基板３の横方向に向けて等間隔に平行に離間されている。したがって、これら走査線11および信号線12は、ガラス基板３上に交差して格子状であるマトリクス状に配線されている。そして、これら走査線11および信号線12の各交点に対応して、画素電極６、補助容量７および薄膜トランジスタ８のそれぞれが各画素５毎に設けられている。
【００１８】
一方、ガラス基板３の周縁には、信号線駆動回路としての細長矩形平板状のＹドライバ回路14が配設されている。このＹドライバ回路14は、ガラス基板３の横方向の一側縁に設けられている。さらに、このＹドライバ回路14は、ガラス基板３の縦方向に沿って設けられており、このガラス基板３上の各走査線11それぞれの一端部が電気的に接続されている。
【００１９】
また、このガラス基板３の縦方向に沿った一端には、走査線駆動回路としての細長矩形平板状のＸドライバ回路15が配設されている。このＸドライバ回路15は、ガラス基板３の横方向に沿って設けられており、このガラス基板３上の各信号線12それぞれの一端部が電気的に接続されている。なお、これらＹドライバ回路14およびＸドライバ回路15は、Ｙドライバ回路14から各走査線11に供給される走査信号によって、薄膜トランジスタ８をオンオフさせるタイミングに同期して、Ｘドライバ回路15から各信号線12に画素信号を供給させることによって、アレイ基板２の画面部４に所定の画像を表示させる。
【００２０】
次いで、図１に示すように、ガラス基板３の表面には、シリコン窒化膜や酸化シリコン膜などにて構成された図示しないアンダーコート層が積層されて成膜されている。このアンダーコート層上には、コプラナ型の薄膜トランジスタ８が１画素構成要素として配設されている。この薄膜トランジスタ８は、スイッチング素子であるとともに半導体素子としてのＴＦＴ素子である。そして、これら薄膜トランジスタ８は、アンダーコート層上に積層されて形成されたゲート線としてのゲート電極17を備えている。このゲート電極17は、導電性を有する、例えば膜厚０．３μｍのモリブデン(Ｍｏ)のスパッタリングにて形成されている。さらに、このゲート電極17は、図２に示すように、走査線11の一側縁に一体的に接続されて、この走査線11の一部を構成する。すなわち、このゲート電極17は、走査線11に電気的に接続されている。
【００２１】
そして、このゲート電極17を含むアンダーコート層上の全面には、ゲート絶縁膜層としての絶縁性を有するゲート絶縁膜18が積層されて形成されている。このゲート絶縁膜18は、例えば膜厚０．１５μｍの二酸化珪素(ＳｉＯ２)膜あるいは窒化珪素(ＳｉＮ)膜にて構成されている。さらに、このゲート絶縁膜18上のゲート電極17に対向する位置には、半導体層としての活性層19が設けられている。この活性層19は、ゲート絶縁膜18を介したゲート電極17上に設けられており、多結晶半導体としてのポリシリコン（ｐ−Ｓｉ）にて構成された多結晶半導体としてのポリシリコン半導体にて構成されている。
【００２２】
すなわち、この活性層19は、非晶質半導体としてのアモルファスシリコン（ａ−Ｓｉ）をエキシマレーザ溶融再結晶化でアニールしてからパターニングして作成した島状のポリシリコン薄膜である。そして、この活性層19上には、例えば膜厚０．３μｍのクロム膜にて構成されたソース電極21およびドレイン電極22のそれぞれが積層されて設けられている。これらソース電極21およびドレイン電極22は、所定の間隙を介して電気的に絶縁されている。そして、これらソース電極21およびドレイン電極22のそれぞれは、互いに絶縁されつつ活性層19の両側部に電気的に接続されている。さらに、ソース電極21は信号線12に対して一体的に電気的に接続されており、ドレイン電極22は補助容量７に電気的に接続されている。
【００２３】
また、ソース電極21の活性層19に電気的に接続されている側とは反対側の一側部を含むゲート絶縁膜18上には、例えば膜厚０．１μｍのＩＴＯ（Indium Tin Oxide）のスパッタおよびパターニングにて構成された透明な画素電極６が積層されて設けられている。この画素電極６は、ソース電極21の一側部上に積層されて、このソース電極21の一側部に電気的に接続されているとともに、ドレイン電極22の活性層19に電気的に接続されている側の反対側の一側部に対して所定の間隔を介して配設されており、このドレイン電極22の一側部には電気的に接続されていない。さらに、この画素電極６は、各画素５に対応してアレイ基板２の画面部４にマトリクス状に設けられている。よって、この画素電極６は、この画素電極６にソース電極21が電気的に接続されている薄膜トランジスタ８にて制御される。
【００２４】
さらに、これら画素電極６、活性層19、ソース電極21およびドレイン電極22を含むゲート絶縁膜18上には、配向膜23が積層されて設けられている。この配向膜23は、ゲート絶縁膜18上に配向膜材料を塗布してから、アレイ基板２の右斜め上方から左斜め下方に向けて擦るようにしてラビング処理して形成されている。ここで、この配向膜23は、画素電極６、活性層19、ソース電極21およびドレイン電極22それぞれの表面を覆っている。
【００２５】
また、この配向膜23が設けられている側とは反対側のガラス基板３の他主面である裏面には、ワイドビューフィルム付きの矩形平板状の偏光板24が重ね合わされて取り付けられている。この偏光板24としては、視野角を広くするために、アレイ基板２のガラス基板４の裏面を略覆う程度の大きさの平面視矩形状に形成された広視野角フィルムが用いられている。
【００２６】
一方、アレイ基板２の配向膜23が積層されている側である表面には、矩形平板状の対向基板31が対向して配設されている。この対向基板31は、略透明な矩形平板状の絶縁基板としての透光性基板であるガラス基板32を備えている。このガラス基板32におけるアレイ基板２に対向した側の一主面である表面には、遮光性を有する遮光層33がマトリクス状に設けられている。この遮光層33は、対向基板31をアレイ基板２に対向させた状態で、このアレイ基板２の各薄膜トランジスタ８のそれぞれに対向するように設けられているとともに、この対向基板31のガラス基板32の周縁に沿って設けられている。そして、この遮光層33は、額縁状の遮光領域であって、黒色顔料が添加された感光性アクリル樹脂などの額縁用のブラックマトリクスにて形成されている。
【００２７】
ここで、この遮光層33は、アレイ基板２に対向基板31を対向させて取り付けた状態で、このアレイ基板２の画素電極６の主視角方向Ａ側との重なり量Ｃが、この画素電極６の主視角方向Ａの反対側の重なり量Ｄよりも大きくなるように構成されている。具体的に、この遮光層33は、この遮光層33と画素電極６の主視角方向Ａの反対側との重なり量Ｄが、例えば６μｍで、この遮光層33と画素電極６の主視角方向Ａ側との重なり量Ｃが、例えば３μｍとなるように形成されている。
【００２８】
すなわち、この遮光層33は、主視角方向Ａの反対側での光を遮光する光遮光角θが、この主視角方向Ａ側での光遮光角ψの約２倍となるように構成されている。したがって、この遮光層33は、この遮光層33と画素電極６との重なり量Ｄ、およびこの遮光層33と画素電極６との重なり量Ｃを変化させることによって、この変化に対応して光遮光角θおよび光遮光角ψのそれぞれが変化するように構成されている。
【００２９】
さらに、この遮光層33は、アレイ基板２の画素電極６の主視角方向Ａ側の重なり量Ｃが、液晶層43の厚さであるセルギャップ(cell gap)Ｇより小さく、この画素電極６と遮光層33との間の距離Ｅより小さくなるように構成されている。また、この遮光層33は、アレイ基板２の画素電極６の主視角方向Ａの反対側の重なり量Ｄが、セルギャップＧより小さくなるように構成されている。
【００３０】
同様に、この遮光層33は、アレイ基板２の画素電極６の主視角方向Ａの反対側である逆方向Ｂ以外の重なり量Ｃが、セルギャップＧより小さくなるように構成されている。さらに、この遮光層33は、アレイ基板２の画素電極６の主視角方向Ａの反対側の重なり量Ｄが、画素電極６と遮光層33との間の距離Ｅより小さくなるように構成されている。また、この遮光層33は、アレイ基板２の画素電極６の主視角方向Ａの反対側である逆方向Ｂ以外の重なり量Ｃが、画素電極６と遮光層33との間の距離Ｅより大きくなるように構成されている。
【００３１】
この結果、液晶パネル１は、この液晶パネル１の画面部４において主視角方向Ａの反対側であるガラス基板３の縦方向に沿った上側に向けて光が漏れるように構成される。言い換えると、この液晶パネル１は、この液晶パネル１の画面部４に表示される画像のコントラスト比が高くなる主視角方向Ａとは反対側の方向である逆方向Ｂから見た際に光漏れが生じるように構成される。さらに、この液晶パネル１は、この液晶パネル１の画面部４において、主視角方向Ａ側である下側に向けて４５゜以上の角度から見た際に光漏れが生じるように構成される。
【００３２】
そして、これら遮光層33間のガラス基板32上には、例えば膜厚１．５μｍのカラーフィルタ層34が積層されて設けられている。このカラーフィルタ層34は、遮光層33の厚さ寸法より大きな厚さ寸法を有しており、この遮光層33より厚く形成されている。よって、このカラーフィルタ層34は、遮光層33の表面より突出して設けられている。そして、このカラーフィルタ層34は、少なくとも２色以上である１組の色単位、例えば赤（Red:Ｒ）色の着色層である赤色層としての赤色フィルタ部35と、緑（Green:Ｇ）色の着色層である緑色層としての緑色フィルタ部36と、青（Blue:Ｂ）色の着色層である青色層としての青色フィルタ部37との３つのドットがガラス基板32の縦方向および横方向のそれぞれに向けて繰り返し配置されて構成されている。
【００３３】
具体的に、これら赤色フィルタ部35、緑色フィルタ部36および青色フィルタ部37は、アレイ基板２の各画素５に対応するように対向基板の遮光層33間のガラス基板32上にマトリクス状に形成されている。よって、これら赤色フィルタ部35、緑色フィルタ部36および青色フィルタ部37のそれぞれは、互いに等間隔に離間されてガラス基板32上にマトリクス状に設けられている。
【００３４】
そして、これら赤色フィルタ部35、緑色フィルタ部36および青色フィルタ部37のそれぞれは、アレイ基板２の各画素５の画素電極６の大きさに略等しい平面視矩形状に形成されている。よって、これら複数の赤色フィルタ部35、緑色フィルタ部36および青色フィルタ部37は、アレイ基板２に対向基板31を対向させた際に、このアレイ基板２の各画素５の画素電極６に対向するように設けられている。
【００３５】
ここで、赤色フィルタ部35は、赤色の顔料を分散させて赤色に着色された紫外線硬化型アクリル樹脂レジストである感光性レジストにて形成された赤色カラーフィルタである。また、緑色フィルタ部36は、緑色の顔料を分散させて緑色に着色された紫外線硬化型アクリル樹脂レジストである感光性レジストにて形成された緑色カラーフィルタである。さらに、青色フィルタ部37は、青色の顔料を分散させて青色に着色された紫外線硬化型アクリル樹脂レジストである感光性レジストにて形成された青色カラーフィルタである。よって、これら赤色フィルタ部35、緑色フィルタ部36および青色フィルタ部37のそれぞれは、等しい厚さに形成されている。
【００３６】
さらに、これら複数の赤色フィルタ部35、緑色フィルタ部36および青色フィルタ部37を含む遮光層33上には、電極層としてのコモン電極である矩形平板状の対向電極38が積層されて設けられている。この対向電極38は、例えば膜厚０．１μｍのＩＴＯのスパッタリングにて形成された共通電極としての透明電極である。また、この対向電極38は、赤色フィルタ部35、緑色フィルタ部36および青色フィルタ部37それぞれの表面を覆っている。また、この対向電極38は、対向基板31とアレイ基板２とを対向させた際に、このアレイ基板２のガラス基板３の画面部４全体に亘って対向する平面視矩形状の大きな電極である。言い換えると、この対向電極38は、アレイ基板２に対向基板31を対向させた際に、このアレイ基板２の各画素５の画素電極６それぞれと相対するように配置されている。
【００３７】
また、この対向電極38の一主面である表面上には、配向膜39が積層されて設けられている。この配向膜39は、対向電極38の表面に配向膜材料を塗布してから、液晶層43の液晶組成物42が９０゜左ねじれになる方向に向けて擦ってラビング処理されて形成されている。
【００３８】
さらに、対向基板31は、この対向基板31の配向膜39とアレイ基板２の配向膜23との間に略球状の複数のスペーサ41を散布して介在させて、これら対向基板31とアレイ基板２とを平行に対向させた状態で、このアレイ基板２に貼り合わされて取り付けられている。ここで、これらスペーサ41は、例えば直径５μｍ程度の球状に形成されている。すなわち、この対向基板31は、アレイ基板２の配向膜23と対向基板31の配向膜39との間に複数のスペーサ41を介在させて、これらアレイ基板２と対向基板31との間に所定の間隔であるセル厚としてのセルギャップＧを有する液晶封止領域Ｆが形成されるように、平行に離間された状態で取り付けられている。
【００３９】
そして、この液晶封止領域Ｆには、液晶材料としての誘電異方性が正である液晶組成物42が注入されて挟持されて光変調層としての液晶層43が形成されている。この液晶層43は、対向基板31の配向膜39とアレイ基板２の配向膜23との間に液晶組成物42が介挿されて封止されて構成されている。さらに、この液晶層43は、アレイ基板２の画素電極６と対向基板31の対向電極38との間に液晶容量を形成させる。
【００４０】
また、アレイ基板２の周縁部と対向基板31の周縁に設けた遮光層33との間には、これらアレイ基板２と対向基板31との間の液晶封止領域Ｆに液晶層43を封止させる液晶封止部としての接着剤44が取り付けられて封止されている。この接着剤44は、エポキシ系の熱硬化樹脂であって、アレイ基板２と対向基板31との間に接着されて、これらアレイ基板２と対向基板31との間をシールする。また、この接着剤44は、アレイ基板２の画面部４の周縁を覆うように設けられており、このアレイ基板２の画面部４と対向基板31との間に液晶封止領域Ｆを形成させる。そして、この接着剤44は、対向基板31の周縁の遮光層33とアレイ基板２のガラス基板３の画面部４より外側の部分と間に設けられている。
【００４１】
一方、対向基板31のガラス基板32の裏面には、ワイドビューフィルム付きの略矩形平板状の偏光板45が重ね合わされて取り付けられている。この偏光板45としては、画面部４の視野角を広くするために、対向基板31のガラス基板32の裏面の略全面を覆う程度の大きさの平面視矩形状に形成された広視野角フィルムが用いられている。
【００４２】
次に、上記第１の実施の形態の液晶表示装置の製造方法を説明する。
【００４３】
まず、アレイ基板２は、成膜とパターニングとを繰り返してガラス基板３上にアンダーコート層を形成してから、このアンダーコート層上にモリブデン(Ｍｏ)を膜厚０．１μｍほどスパッタリングにて成膜してからフォトリソグラフィにて所定の形状にパターニングして走査線11およびゲート電極17を形成する。
【００４４】
次いで、このゲート電極17を含むアンダーコート層上に、二酸化珪素(ＳｉＯ２)あるいは窒化珪素(ＳｉＮ)を膜厚０．１５μｍほど成膜してゲート絶縁膜18を形成する。
【００４５】
この後、ゲート電極17を介したゲート絶縁膜18上に活性層19を設けてから、この活性層19上の両側部にクロム(Ｃｒ)を膜厚０．３μｍほど成膜して信号線12、ソース電極21およびドレイン電極22のそれぞれを形成して薄膜トランジスタ８を完成させる。
【００４６】
次いで、これら薄膜トランジスタ８のソース電極21に電気的に接続されるように、このソース電極21の一側部を含むゲート絶縁膜18上に、ＩＴＯを膜厚０．１μｍほどスパッタして成膜してからパターニングして画素電極６を形成する。
【００４７】
さらに、対向基板31のガラス基板32上に、感光性を有する黒色樹脂を図示しないスピンナにて塗布してから、９０℃の温度で１０分間乾燥した後、アレイ基板２の各画素５の間と画面部４の外周縁の、例えば幅３ｍｍほどに紫外線が照射されるような図示しないフォトマスクを介して３００ｍＪ／ｃｍ２の露光量で露光する。
【００４８】
この後、このガラス基板32の表面を、例えばｐＨ１１．５のアルカリ性水溶液で現像してから、２００℃の温度で６０分焼成してベークすることによって、このガラス基板32の表面に黒色樹脂をパターン形成して遮光層33を形成する。
【００４９】
さらに、この遮光層33を設けたガラス基板32の表面に、赤色の顔料を分散させた感光性レジストをスピンナにて塗布してから、９０℃の温度で１０分間乾燥した後、赤色フィルタ部35を形成する部分のみに紫外線を照射して２００ｍＪ／ｃｍ２の露光量で露光する。
【００５０】
この後、このガラス基板32の表面を、水酸化カリウム(ＫＯＨ)を１質量％含有した水溶液で２０秒間現像してから、２００℃の温度で６０分焼成してベークすることによって、赤色フィルタ部35を形成する。
【００５１】
同様に、緑色あるいは青色の顔料を分散させた感光性レジストを用いて、緑色フィルタ部36と青色フィルタ部37とのそれぞれを繰り返して形成することによって、これら赤色フィルタ部35、緑色フィルタ部36および青色フィルタ部37それぞれの膜厚が１．５μｍほどのカラーフィルタ層34を形成する。
【００５２】
この後、これらアレイ基板２および対向基板31それぞれの表面に、配向膜材料を塗布して配向膜23,39を形成してからラビング処理する。このとき、アレイ基板２の配向膜23については、右斜め上方から左斜め下方に向けて擦ってラビング処理する。また、対向基板31の配向膜39については、液晶層43中の液晶組成物42が９０゜ほど左ねじれになる方向に向けて擦ってラビング処理する。
【００５３】
次いで、これらアレイ基板２の配向膜23と対向基板31の配向膜39との間に、直径５μｍほどのスペーサ41を散布してから、これらアレイ基板２と対向基板31とをエポキシ系の熱硬化樹脂を接着剤44として用いて貼り合わせる。
【００５４】
この後、これらアレイ基板２と対向基板31との間の接着剤44にて接着されていない部分が図示しない注入口となり、この注入口から液晶組成物42を注入して、この液晶組成物42をアレイ基板２と対向基板31との間の液晶封止領域Ｆに介在させる。
【００５５】
この状態で、アレイ基板２と対向基板31との間の注入口を、図示しない封止剤として紫外線硬化樹脂を用いて封止してから、これらアレイ基板２および対向基板31それぞれの裏面に、広視野角フィルムであるワイドビューフィルム付きの偏光板24,45をそれぞれ貼り付ける。
【００５６】
この結果、５μｍほどのセルギャップＧを有し、主視角方向Ａが下方向であり、画素電極６の主視角方向Ａ側の反対側である上側と遮光層33との重なり量Ｄが６μｍほどで、画素電極６の主視角方向Ａ側である下側と遮光層33との重なり量Ｃが３μｍほどの液晶パネル１を作製できる。
【００５７】
この後、この液晶パネル１を駆動させて、この液晶パネル１の画面部４に画像を表示させたところ、この液晶パネル１のセルギャップＧの均一性が損なわれた場合に視認されるギャップむらが、この液晶パネル１の上側からも視認し難かった。
【００５８】
上述したように、上記第１の実施の形態によれば、液晶パネル１の画面部４の視野角を広くするに連れて、この画面部４に対する視角を振った方向からの視認性が向上し、この液晶パネル１のセルギャップＧの均一性が損なわれた場合に視認されるギャップむらなどの視認性が向上してしまい、この液晶パネル１の歩留まりを低下させる要因となる。特に、この液晶パネル１のギャップむらに関しては、偏光板24,45として広視野角フィルムを用いることによって、この液晶パネル１の画面部４のコントラスト比が最も高くなる主視角方向Ａの逆方向Ｂから見た場合に視認されやすくなるため、この液晶パネル１の不良率が向上してしまう。
【００５９】
そこで、上述のように、液晶パネル１の画面部４の主視角方向Ａを下方向とし、この液晶パネル１のアレイ基板２の画素電極６の主視角方向Ａ側の反対側である上側と遮光層33との重なり量Ｄを６μｍほどとし、この画素電極６の主視角方向Ａ側である下側と遮光層33との重なり量Ｃを３μｍほどとして、この液晶パネル１の画面部４を主視角方向Ａの反対側である逆方向Ｂに向けて光が洩れるように構成した。
【００６０】
すなわち、この液晶パネル１の画面部４の主視角方向Ａの逆方向Ｂである上側から見た際に光漏れを故意的にわざと起させることによって、このギャップむらの視認性を下げることができる。このため、偏光板24,45として広視野角フィルムを用いて液晶パネル１の画面部４の視野角を広くした場合であっても、この液晶パネル１のギャップむらが、この液晶パネル１の主視角方向Ａの反対側である逆方向Ｂからも視認し難くできる。
【００６１】
よって、偏光板24,45として広視野角フィルムを使用して液晶パネル１の画面部４の視野角を広くした際のギャップむらの感度を落とすことができるから、この液晶パネル１の表示性能を向上できるとともに、高い歩留まりで安価な液晶パネル１にできる。
【００６２】
なお、上記第１の実施の形態では、アレイ基板２のゲート絶縁膜18上に画素電極６を積層させたが、図３に示す第２の実施の形態のように、この画素電極６とゲート絶縁膜18との間に透明樹脂層51を設けても、液晶パネル１のギャップむらが主視角方向Ａの逆方向Ｂから視認し難くできる。すなわち、この液晶パネル１は、アレイ基板２のガラス基板３上に薄膜トランジスタ８が形成されている。そして、このガラス基板３のゲート絶縁膜18上には、例えば膜厚３μｍほどの透明樹脂層51が形成されている。この透明樹脂層51は、光透過性を有する透明な樹脂にて構成された光透過層である。
【００６３】
そして、この透明樹脂層51は、ソース電極21や液晶パネル１を形成するときのコンタクトが必要な部分を除いて設けられている。すなわち、この透明樹脂層51は、アレイ基板２上の薄膜トランジスタ８のソース電極21とドレイン電極22との間のゲート絶縁膜18上に積層されて設けられており、これらソース電極21およびドレイン電極22それぞれの一側部を覆っている。また、この透明樹脂層51の主視角方向Ａの反対側である上側部には、この主視角方向Ａの反対側である逆方向Ｂに向けて下方に傾斜した傾斜部52が形成されている。この傾斜部52は、ソース電極21の主視角方向Ａ側の下端部上に設けられている。
【００６４】
さらに、この透明樹脂層51上には、画素電極６が積層されて設けられている。この画素電極６は、近接する薄膜トランジスタ８のソース電極21上に積層されて、このソース電極21に電気的に接続されている。また、この画素電極６は、透明樹脂層51の主視角方向Ａの反対側である上側縁に位置する傾斜部52を覆っており、この傾斜部52より上側の部分でソース電極21に電気的に接続されている。
【００６５】
具体的に、この画素電極６は、この画素電極６と信号線12であるソース電極21との重なり量Ｊが例えば４μｍとなるように透明樹脂層51上に積層されている。また、この画素電極６は、この画素電極６と走査線11としてのゲート電極17との主視角方向Ａの反対側である上側での重なり量Ｈが、例えば４μｍとなり、この画素電極６とゲート電極17との主視角方向Ａ側である下側での重なり量Ｉが、例えば２μｍとなるように透明樹脂層51上に積層されている。
【００６６】
言い換えると、この画素電極６は、この画素電極６の主視角方向Ａ側の薄膜トランジスタ８の信号線12およびソース電極21との重なり量が、この画素電極６の主視角方向Ａの反対側の薄膜トランジスタ８の走査線11およびドレイン電極22との重なり量より大きくなるように構成されている。また、この画素電極６は、この画素電極６の主視角方向Ａ側の薄膜トランジスタ８の信号線12およびソース電極21との重なり量が、液晶パネル１のセルギャップＧより小さくなるように構成されている。
【００６７】
次に、上記第２の実施の形態の液晶表示装置の製造方法を説明する。
【００６８】
まず、アレイ基板２は、成膜とパターニングとを繰り返してガラス基板３上に薄膜トランジスタ８を形成してから、この薄膜トランジスタ８のソース電極21とドレイン電極22との間のゲート絶縁膜18上に、膜厚３μｍほどの透明樹脂層51を形成する。
【００６９】
この後、薄膜トランジスタ８のソース電極21に電気的に接続されるように、このソース電極21の透明樹脂層51にて覆われていない部分を含む透明樹脂層51上に、膜厚０．１μｍほどの画素電極６を形成する。
【００７０】
このとき、この画素電極６と信号線12との重なり量が例えば４μｍほどであり、この画素電極６と走査線11との重なり量が、この画素電極６の主視角方向Ａの反対側である上側で例えば４μｍで、この画素電極６の主視角方向Ａ側である下側で例えば２μｍとなる。
【００７１】
次いで、対向基板31のガラス基板32上に、感光性を有する黒色樹脂を塗布してから乾燥した後、アレイ基板２の画面部４の外周縁の、例えば幅３ｍｍほどに紫外線が照射されるような図示しないフォトマスクを介して露光する。
【００７２】
この後、このガラス基板32の表面を現像してから焼成して、このガラス基板32の周縁のみに遮光層33を形成する。
【００７３】
さらに、この遮光層33を設けたガラス基板32の表面に、赤色、緑色あるいは青色の顔料を分散させた感光性レジストを用いて、赤色フィルタ部35、緑色フィルタ部36および青色フィルタ部37とのそれぞれを繰り返して形成して、それぞれの膜厚が１．５μｍほどのカラーフィルタ層34を形成する。
【００７４】
この後、これらアレイ基板２および対向基板31それぞれの表面に、配向膜23,39を形成してから、これら配向膜23,39間にスペーサ41を散布して接着剤44にてアレイ基板２と対向基板31と貼り合わせる。
【００７５】
次いで、これらアレイ基板２と対向基板31との間の液晶封止領域Ｆに液相組成物42を注入して液相層43を形成してから、これらアレイ基板２と対向基板31との間の注入口を封止剤にて封止した後に、これらアレイ基板２および対向基板31それぞれの裏面に、広視野角フィルムであるワイドビューフィルム付きの偏光板24,45をそれぞれ貼り付ける。
【００７６】
この結果、５μｍほどのセルギャップＧを有し、主視角方向Ａが下方向である液晶パネル１を作製できる。
【００７７】
そして、上述した第１の実施の形態と同様に、この液晶パネル１を駆動させて、この液晶パネル１の画面部４に画像を表示させたところ、この液晶パネル１のセルギャップＧの均一性が損なわれた場合に視認されるギャップむらが、この液晶パネル１の上側からも視認し難かった。したがって、上記第１の実施の形態と同様の作用効果を奏することができることが分かった。
【００７８】
なお、上記各実施の形態では、対向基板31のガラス基板32上に一枚の大きな対向電極38を積層させたが、この対向電極38がアレイ基板２の各画素５に対応して複数に分割された複数の対向電極38であっても、対応させて用いることができる。また、対向基板31のガラス基板32上に遮光層33を形成したが、この遮光層33をアレイ基板２のガラス基板３上に形成することもできる。
【００７９】
そして、液晶パネル１のスペーサ41や配向膜23,39に用いる配向膜材料、これら配向膜23,39のラビング方向、液晶組成物42を適宜変更して、ＯＣＢ（Optically Compensated Bend）型、ＶＡ（Vertically Aligned）型あるいはホモジニアス型の液晶パネル１としても、ＴＮ（Twisted Nematic）型の液晶パネル１より視野角や応答時間の特性が良く表示品位を高くできるから、上記各実施の形態の液晶パネル１と同様の性能を有する液晶パネル１にできる。
【００８０】
また、コプラナ型の薄膜トランジスタ８を用いた液晶パネル１について説明したが、トップゲート型、ボトムゲート型あるいは逆スタガ型の薄膜トランジスタ８であっても対応させて用いることができる。さらに、アレイ基板２のガラス基板３の画面部４の周縁にＹドライバ回路14やＸドライバ回路15などの周辺駆動回路を作り込んだが、これらＹドライバ回路14やＸドライバ回路15などの周辺駆動回路をアレイ基板２と別個に形成して、このアレイ基板２に接続させてもよい。
【図面の簡単な説明】
【００８１】
【図１】本発明の液晶表示装置の第１の実施の形態を示す説明断面図である。
【図２】同上液晶表示装置を示す説明回路構成図である。
【図３】本発明の液晶表示装置の第２の実施の形態を示す説明断面図である。
【符号の説明】
【００８２】
１    液晶表示装置としての液晶パネル
２    アレイ基板
４    画像表示領域としての画面部
５    画素
６    画素電極
８    スイッチング素子としての薄膜トランジスタ
31    対向基板
33    遮光層
43    液晶層
51    光透過層としての透明樹脂層
【図１】
2006276717.tif 000003
【図２】
2006276717.tif 000004
【図３】
2006276717.tif 000005